(57)【要約】      （修正有）【課題】組立時に撓まないようにした機器レールおよびブラケット組立体を提供する。【解決手段】機器レール２１０およびブラケット組立体２２０は、機器レール２１０およびブラケット２２１を含む。機器レール２１０は、ブラケット２２１に取り付けられる。機器レール２１０は、逃げ切欠２１３および該逃げ切欠２１３によって形成された可撓性舌部２１４を含む。可撓性舌部２１４は、機器レール２１０をブラケット２２１に取り付けるためのブラケット取付開口２１１を含む。可撓性舌部２１４は、ブラケット２２１がキャビネットに取り付けられるとき、機器レール２１０に対して回転する。【選択図】図１０
2012124475.tif 000002
【特許請求の範囲】
【請求項１】
ブラケットと、
前記ブラケットに取り付けられた機器レールであって、前記機器レールは逃げ切欠および前記逃げ切欠によって形成された可撓性舌部を含み、前記可撓性舌部は前記機器レールを前記ブラケットに取り付けるためのブラケット取付開口を含む、機器レールと、を備える機器レールおよびブラケット組立体であって、
前記可撓性舌部は、前記ブラケットがキャビネットに取り付けられるとき、前記機器レールに対して回転する、機器レールおよびブラケット組立体。
【請求項２】
前記機器レールは、機器を前記機器レールに取り付けるための複数の機器取付開口を含む、請求項１に記載の機器レールおよびブラケット組立体。
【請求項３】
前記機器レールは、前記機器レールを前記ブラケットに取り付けるための複数のブラケット取付開口を含む、請求項１に記載の機器レールおよびブラケット組立体。
【請求項４】
前記可撓性舌部は、前記複数のブラケット取付開口の少なくとも１つを含む、請求項３に記載の機器レールおよびブラケット組立体。
【請求項５】
前記機器レールは、第１の端部および前記第１の端部と対向する第２の端部を含み、前記機器レールの前記第１の端部は前記第１のブラケットに取り付けられる、請求項１に記載の機器レールおよびブラケット組立体。
【請求項６】
第２のブラケットをさらに備え、前記機器レールの前記第２の端部が第２のブラケットに取り付けられた、請求項５に記載の機器レールおよびブラケット組立体。
【請求項７】
前記機器レールの前記第２の端部は、第２の逃げ切欠および前記第２の逃げ切欠によって形成された第２の可撓性舌部を含み、前記第２の可撓性舌部は、前記機器レールを前記第２のブラケットに取り付けるための第２のブラケット取付開口を含む、請求項６に記載の機器レールおよびブラケット組立体。
【請求項８】
前記第２の可撓性舌部は、前記第２のブラケットが前記キャビネットに取り付けられるとき、前記機器レールに対して回転する、請求項７に記載の機器レールおよびブラケット組立体。
【請求項９】
前記第１の可撓性舌部および前記第２の可撓性舌部は、前記ブラケットが前記キャビネットに取り付けられるとき、前記機器レールから離れるように回転する、請求項８に記載の機器レールおよびブラケット組立体。
【請求項１０】
前記第２の可撓性舌部は、機器が前記機器レールに取り付けられるとき、前記機器レールに向かって回転する、請求項９に記載の機器レールおよびブラケット組立体。
【請求項１１】
機器が前記機器レールに取り付けられるとき、前記ブラケットが前記逃げ切欠を通って回転するのを防止するために、前記機器レールと前記ブラケットとの間に配置された補強板をさらに備える、請求項１に記載の機器レールおよびブラケット組立体。
【請求項１２】
前記ブラケットおよび前記補強板は、個別の構成部品である、請求項１１に記載の機器レールおよびブラケット組立体。
【請求項１３】
前記ブラケットおよび前記補強板は、一体形成されている、請求項１１に記載の機器レールおよびブラケット組立体。
【請求項１４】
クランプをさらに備え、前記ブラケットは、前記キャビネットが前記クランプと前記ブラケットとの間に配置されるように前記クランプに取り付けられる、請求項１に記載の機器レールおよびブラケット組立体。
【請求項１５】
逃げ切欠と、
前記逃げ切欠によって形成された可撓性舌部であって、前記可撓性舌部は、前記機器レールをキャビネットに取り付けるための取付開口を含む、可撓性舌部と、を備える機器レールであって、
前記可撓性舌部は、前記機器レールが前記キャビネットに取り付けられるとき、前記機器レールに対して回転する、機器レール。
【発明の詳細な説明】
【技術分野】
【０００１】
本発明は、機器レールおよびブラケット組立体に関し、より詳細には、キャビネット用の機器レールおよびブラケット組立体に関する。
【０００２】
（関連出願への相互参照）
本出願は、２０１０年１１月１１日に出願された米国仮特許出願第６１／４１２，４３９号の利益を主張し、その明細書の内容は、すべてその全部の参照によって、本願明細書において組み込まれる。
【背景技術】
【０００３】
図１〜８は、先行技術による、Ｐａｎｄｕｉｔ（パンドウィットコーポレーション）の機器レールおよびブラケット組立体（たとえば、品番Ｓ７５ＲＣ）などの、機器レールおよびブラケット組立体１００を示す。
【０００４】
図１〜３に示したように、機器レールおよびブラケット組立体１００は、１つの機器レール１１０および１対のブラケット組立体１２０を含む。各ブラケット組立体１２０は、１つのブラケット１２１、１つのクランプ１２２、および機器レール１１０をブラケット１２１に取り付け、ブラケット１２１をクランプ１２２に取り付けるための複数の締め具１２３を含む。機器レール１１０は、機器レール１１０をブラケット１２１に取り付けるための締め具１２３を受け入れるために、複数のブラケット取付開口１１１を含む。さらに、機器レール１１０は、サーバおよびスイッチなどの機器（図示せず）を機器レール１１０に取り付けるために、ケージナットなどの締め具（図示せず）を受け入れるための複数の機器取付開口１１２を含む。
【０００５】
図４〜６に示したように、機器レールおよびブラケット組立体１００は、ＰａｎｄｕｉｔのＮｅｔ−ＳＥＲＶ（商標）キャビネット（たとえば、品番Ｓ７５２Ｃ１２２Ｂ）などのキャビネット１０に取り付けられる。キャビネット１０は、それぞれの隅部で共に溶接される、４つの柱１１、４つの前後の梁１２、および４つの両側の梁１３を含む。
【０００６】
図７および８に示したように、キャビネット１０が組み立てられるとき、前後の梁１２は、柱１１に対してわずかに角度をつけて配向される。その結果、機器レールおよびブラケット組立体１００がキャビネット１０に取り付けられるとき、前後の梁１２の配向によって機器レール１１０が撓み、このことは固定幅の機器を取り付ける場合に特に望ましくない。
【先行技術文献】
【特許文献】
【０００７】
【特許文献１】米国仮特許出願第６１／４１２，４３９号
【発明の概要】
【発明が解決しようとする課題】
【０００８】
したがって、キャビネット用の改良された機器レールおよびブラケット組立体が必要とされている。
【課題を解決するための手段】
【０００９】
本発明のいくつかの実施形態は、機器レールおよびブラケット組立体を提供する。機器レールおよびブラケット組立体は、機器レールおよびブラケットを含む。機器レールは、ブラケットに取り付けられる。機器レールは、逃げ切欠および該逃げ切欠によって形成された可撓性舌部を含む。可撓性舌部は、機器レールをブラケットに取り付けるためのブラケット取付開口を含む。可撓性舌部は、ブラケットがキャビネットに取り付けられるとき、機器レールに対して回転する。
【図面の簡単な説明】
【００１０】
【図１】先行技術による、機器レールおよびブラケット組立体の斜視図である。
【図２】図１の機器レールおよびブラケット組立体の上部を示す、その拡大図である。
【図３】図２の機器レールおよびブラケット組立体の分解図である。
【図４】キャビネットに取り付けられた図１の機器レールおよびブラケット組立体の斜視図である。
【図５】図４のキャビネットの斜視図である。
【図６】図５のキャビネットの隅部を示す、その拡大図である。
【図７】キャビネットに取り付けられた図１の機器レールおよびブラケット組立体の上部を示す、その拡大断面図である。
【図８】キャビネットに取り付けられた図１の機器レールおよびブラケット組立体の底部を示す、その拡大断面図である。
【図９】本発明の一実施形態による機器レールおよびブラケット組立体の斜視図である。
【図１０】図９の機器レールおよびブラケット組立体の上部を示す、その拡大図である。
【図１１】図９の機器レールおよびブラケット組立体用の機器レールの斜視図である。
【図１２】図１１の機器レールの上部を示す、その拡大図である。
【図１３】図９の機器レールおよびブラケット組立体用のブラケットおよび補強板の斜視図である。
【図１４】図１１の機器レールに取り付けられた図１３のブラケットおよび補強板の斜視図である。
【図１５】キャビネットに取り付けられた図９の機器レールおよびブラケット組立体の上部を示す、その拡大断面図である。
【図１６】キャビネットに取り付けられた図９の機器レールおよびブラケット組立体の底部を示す、その拡大断面図である。
【図１７】キャビネットに取り付けられ、その上に取り付けられた機器から荷重をかけられている図９の機器レールおよびブラケット組立体の底部を示す、その拡大断面図である。
【発明を実施するための形態】
【００１１】
図９〜１６は、本発明の一実施形態による機器レールおよびブラケット組立体２００を示す。
【００１２】
図９および１０に最も良く示されているように、機器レールおよびブラケット組立体２００は、図１〜８の機器レールおよびブラケット組立体１００に類似している。すなわち、機器レールおよびブラケット組立体２００は、機器レール１１０およびブラケット組立体１２０に類似した、１つの機器レール２１０および１対のブラケット組立体２２０を含む。たとえば、各ブラケット組立体２２０は、ブラケット１２１、クランプ１２２、および締め具１２３に類似した、１つのブラケット２２１、１つのクランプ２２２、および複数の締め具２２３を含む。さらに、機器レール２１０は、ブラケット取付開口１１１および機器取付開口１１２に類似した、複数のブラケット取付開口２１１および複数の機器取付開口２１２を含む。
【００１３】
しかし、図１１および１２に最も良く示されているように、機器レール２１０は、１対の逃げ切欠２１３を含み、逃げ切欠２１３のそれぞれは、可撓性舌部２１４を機器レール２１０上に形成する。可撓性舌部は、少なくとも１つのブラケット取付開口２１１を含む。
【００１４】
さらに、図１３および１４に最も良く示されているように、ブラケット組立体２２０のそれぞれは、機器レール２１０とブラケット２２１との間に配置された１つの補強板２２４を含む。ブラケット２２１および補強板２２４は、個別の構成部品であることが好ましいが、ブラケット２２１および補強板２２４が一体形成されることも、同様に企図される。
【００１５】
図１５および１６に示されたように、機器レールおよびブラケット組立体２００がキャビネット１０に取り付けられるとき、可撓性舌部２１４は、角度をつけた前後の梁１２を収容するために機器レール２１０から離れるように回転して（図１５では時計回り、図１６では反時計回り）、それによって機器レール２１０の撓みが防止される。
【００１６】
さらに、図１７に示したように、機器が機器レール２１０に取り付けられるとき、機器の重量によって、機器レール２１０の底部に配置された可撓性舌部２１４が機器レール２１０に向かって回転する（図１７では時計回り）。補強板２２４は、ブラケット２２１が機器レール２１０内で逃げ切欠２１３を通って回転するのを防止する。
【００１７】
本発明を上記に概説した例示的実施形態に関連して説明したが、様々な代替形態、修正形態、変形形態、および／または改良形態は、公知であっても現在予期せぬことであっても、明らかになり得る。したがって、上記に説明したように本発明の例示的実施形態は、限定ではなく例示を意図する。本発明の精神および範囲から逸脱することなく、様々な変更がなされ得る。
【符号の説明】
【００１８】
２００・・・機器レールおよびブラケット組立体
２１０・・・機器レール
２１１・・・ブラケット取付開口
２１２・・・機器取付開口
２１３・・・逃げ切欠
２１４・・・可撓性舌部
２２０・・・ブラケット組立体
２２１・・・ブラケット
２２２・・・クランプ
２２３・・・締め具
２２４・・・補強板
【図１】
2012124475.tif 000003
【図２】
2012124475.tif 000004
【図３】
2012124475.tif 000005
【図４】
2012124475.tif 000006
【図５】
2012124475.tif 000007
【図６】
2012124475.tif 000008
【図７】
2012124475.tif 000009
【図８】
2012124475.tif 000010
【図９】
2012124475.tif 000011
【図１０】
2012124475.tif 000012
【図１１】
2012124475.tif 000013
【図１２】
2012124475.tif 000014
【図１３】
2012124475.tif 000015
【図１４】
2012124475.tif 000016
【図１５】
2012124475.tif 000017
【図１６】
2012124475.tif 000018
【図１７】
2012124475.tif 000019
【外国語明細書】
2012124475.tif 000020
2012124475.tif 000021
2012124475.tif 000022
2012124475.tif 000023
2012124475.tif 000024
2012124475.tif 000025
2012124475.tif 000026
2012124475.tif 000027
2012124475.tif 000028
2012124475.tif 000029
2012124475.tif 000030
2012124475.tif 000031
2012124475.tif 000032
2012124475.tif 000033
2012124475.tif 000034
2012124475.tif 000035
2012124475.tif 000036
2012124475.tif 000037
2012124475.tif 000038
2012124475.tif 000039
2012124475.tif 000040
2012124475.tif 000041
2012124475.tif 000042
2012124475.tif 000043
2012124475.tif 000044
2012124475.tif 000045